(57)【要約】      （修正有）【課題】様々の形状のスマートフォンを容易に収納して操作でき、または容易に取り出すことができ、更にシステム手帳に保持して紛失を防止できるシステム手帳用携帯端末ケースを提供する。【解決手段】正面部１と背面部を接続する接続部３に幅を持たせ、側面に線ファスナー部６を形成して箱状とし、その線ファスナー部６を、接続部３が形成された側面の両方の端部まで形成し、その接続部３の側面にシステム手帳のリングに挿入する複数の孔を縦列方向に備えるリング係止部４を設けた。【選択図】図２
0003178403.tif 000002
【実用新案登録請求の範囲】
【請求項１】
携帯端末を収納するケースであって、
前面中央が透明部材で形成された正面部と、
背面部と、
前記正面部と前記背面部とを一つの側面で接続する接続部と、
前記側面を接続面とし、前記接続面以外の側面と前記接続面の両方の端部に形成された線ファスナー部と、
前記接続面に、システム手帳のリングに挿入する孔が縦列方向に複数設けられたリング係止部とを有することを特徴とするシステム手帳用携帯端末ケース。
【請求項２】
リング係止部が、接続面とは反対側の側面に延びて形成される延出部を備えており、前記延出部が背面部に固定されることを特徴とする請求項１記載のシステム手帳用携帯端末ケース。
【請求項３】
延出部が、背面部における外面の縦横の大きさと同じ縦横の大きさであることを特徴とする請求項２記載のシステム手帳用携帯端末ケース。
【請求項４】
リング係止部の複数の孔から前記リング係止部の端辺に向けてスリットを形成したことを特徴とする請求項１乃至３のいずれか記載のシステム手帳用携帯端末ケース。
【請求項５】
リング係止部における縦列方向に複数設けられた孔について、両端の孔を他の孔より前記縦列方向に長い孔としたことを特徴とする請求項１乃至４のいずれか記載のシステム手帳用携帯端末ケース。
【考案の詳細な説明】
【技術分野】
【０００１】
本考案は、システム手帳用携帯端末ケースに係り、特に、スマートフォン等の携帯端末の形状が相違しても容易に収納できると共にシステム手帳のリングに保持できるシステム手帳用携帯端末ケースに関する。
【背景技術】
【０００２】
［先行技術の説明］
携帯端末では、スマートフォンが人気であり、電話としてより、小型のコンピュータのようにメールの送受信、Ｗｅｂ閲覧・検索等に利用されている。
また、スマートフォンは手軽であるため、紛失することも多く、紛失の対策が必要となっている。
【０００３】
また、従来、スマートフォンの形状に合わせた専用の収納用ケースがあり、そのケースをシステム手帳のリングにとじることができるようリンク穴を備えるものがあった。
また、ケースには、ファスナーを備え、ファスナーを開けてスマートフォンを挿入できるものもある。
【０００４】
［関連技術］
尚、関連する先行技術としては、特開平０３−１１８１９６号公報「システム電子手帳」（ブラザー工業株式会社）［特許文献１］、特開平０３−０９８１５１号公報「電子手帳」（日本電気株式会社）［特許文献２］、実用新案登録第３１４５４２０号公報「システム手帳用コンピュータ」（株式会社工人舎）［特許文献３］、実用新案登録第３０７７４０７号公報「手帳カバー」（テイボー株式会社）［特許文献４］がある。
【０００５】
特許文献１には、電子ユニットとそれに給電する充電式電子を備えた複数のシート状体をファイルするシステム電子手帳が記載されている。
特許文献２には、ＣＰＵ、ＲＡＭ、電池を備えるシートと、表紙に表示装置が設けられ、表紙とシートがバインダでとじられる電子手帳が記載されている。
【０００６】
特許文献３には、小型のコンピュータがシステム手帳にとじ込んで使用できるシステム手帳用コンピュータが記載されている。
特許文献４には、見開き面の一方に手帳保持部を形成し、見開き面の他方にパソコンのキー操作部と表示部を表出させた手帳カバーが記載されている。
【先行技術文献】
【特許文献】
【０００７】
【特許文献１】特開平０３−１１８１９６号公報
【特許文献２】特開平０３−０９８１５１号公報
【特許文献３】実用新案登録第３１４５４２０号公報
【特許文献４】実用新案登録第３０７７４０７号公報
【考案の概要】
【考案が解決しようとする課題】
【０００８】
しかしながら、従来のスマートフォンケースでは、スマートフォンの形状に合わせた専用のケースか、若しくは２，３種類のスマートフォンに対応する半専用のケースであることが多く、様々の形状のスマートフォンを容易に収納し、容易に取り出すことができず、更に紛失防止の対策も十分ではないという問題点があった。
【０００９】
尚、特許文献１〜５には、小型コンピュータ等の情報機器をシート状の構成としてシステム手帳にとじ込むか、見開きの他方に取り付ける構成であって、スマートフォンを容易に収納し、取り出す構成については記載されていない。
【００１０】
本考案は上記実状に鑑みて為されたもので、様々の形状のスマートフォンを容易に収納して操作でき、または容易に取り出すことができ、更にシステム手帳に保持して紛失を防止できるシステム手帳用携帯端末ケースを提供することを目的とする。
【課題を解決するための手段】
【００１１】
上記従来例の問題点を解決するための本考案は、携帯端末を収納するケースであって、前面中央が透明部材で形成された正面部と、背面部と、正面部と背面部とを一つの側面で接続する接続部と、当該側面を接続面とし、当該接続面以外の側面と当該接続面の両方の端部に形成された線ファスナー部と、当該接続面に、システム手帳のリングに挿入する孔が縦列方向に複数設けられたリング係止部とを有することを特徴とする。
【００１２】
本考案は、上記システム手帳用携帯端末ケースにおいて、リング係止部が、接続面とは反対側の側面に延びて形成される延出部を備えており、延出部が背面部に固定されることを特徴とする。
【００１３】
本考案は、上記システム手帳用携帯端末ケースにおいて、延出部が、背面部における外面の縦横の大きさと同じ縦横の大きさであることを特徴としている。
【００１４】
本考案は、上記システム手帳用携帯端末ケースにおいて、リング係止部の複数の孔からリング係止部の端辺に向けてスリットを形成したことを特徴としている
【００１５】
本考案は、上記システム手帳用携帯端末ケースにおいて、リング係止部における縦列方向に複数設けられた孔について、両端の孔を他の孔より前記縦列方向に長い孔としたことを特徴とする
【考案の効果】
【００１６】
本考案によれば、前面中央が透明部材で形成された正面部と、背面部と、正面部と背面部とを一つの側面で接続する接続部と、当該側面を接続面とし、当該接続面以外の側面と当該接続面の両方の端部に形成された線ファスナー部と、当該接続面に、システム手帳のリングに挿入する孔が縦列方向に複数設けられたリング係止部とを有するシステム手帳用携帯端末ケースとしているので、様々の形状のスマートフォンを容易に収納して操作でき、または容易に取り出すことができ、更にシステム手帳に保持して紛失を防止できる効果がある。
【図面の簡単な説明】
【００１７】
【図１】本ケースの正面概略図である。
【図２】本ケースの側面斜視図である。
【図３】本ケースを開いた状態を示す概略図である。
【図４】背面部の構成を示す図である。
【図５】リング係止部における突出部の拡大説明図である。
【図６】別のリング係止部における突出部の拡大説明図である。
【考案を実施するための形態】
【００１８】
本考案の実施の形態について図面を参照しながら説明する。
［実施の形態の概要］
本考案の実施の形態に係るシステム手帳用携帯端末ケースは、正面部と背面部を接続する接続部に幅を持たせ、側面に線ファスナー部を形成して箱状とし、その線ファスナー部を、接続部が形成された側面の両方の端部まで形成し、その接続部の側面にシステム手帳のリングに挿入する複数の孔を備えるリング係止部を設けたものであり、正面部と背面部が１８０度近く開くことができるので、スマートフォン等の携帯端末の出し入れが容易であり、様々の形状の携帯端末であっても収納でき、更にシステム手帳に保持できるので、紛失を防止できるものである。
【００１９】
［本ケースの正面及び側面：図１，図２］
本考案の実施の形態に係るシステム手帳用携帯端末ケース（本ケース）について図１、図２を参照しながら説明する。図１は、本ケースの正面概略図であり、図２は、本ケースの側面斜視図である。
本ケースは、図１に示すように、正面部１と背面部と側面部で形成され、薄い箱形状となっている。
また、本ケースは、図２に示すように、正面部１と背面部を接続する接続部３が一つの側面に設けられ、その他の側面は開閉可能に線ファスナー部６で形成されている。
【００２０】
［正面部１］
正面部１は、ほぼ前面に透明部材５が形成され、その周囲に皮又は合皮の周辺部１ａが形成されている。具体的には、周辺部１ａの内側に透明部材５が貼り付けられ、若しくは縫いつけられている。
また、透明部材５は、ＰＶＣ（ポリ塩化ビニル）等の透明フィルム又は透明シートである。後述するように、本ケースにタッチスクリーンを有する携帯端末を収納するため、透明部材５の上から携帯端末のタッチスクリーンを操作できる素材及び厚みを採用する。
【００２１】
［側面：図２］
正面部１と背面部を接続する接続部３は、その外面は皮又は合皮で形成されている。
また、接続部３は、正面部１と背面部に接着剤で接着され、又は／及び、縫いつけられている。
接続部３が形成された側面（接続面）の両方の端部にも線ファスナー部６が形成されていることが特徴で、正面部１と背面部とを１８０度開くことができる。
【００２２】
線ファスナー部６は、テープ、エレメント、スライダーから構成され、側面の厚みを持たせるのであれば、テープ又はエレメントの幅を長くするとよい。
本ケースでは、線ファスナー部６においてスライダーを２つ備えており、２つのスライダーを接続面の端部にそれぞれスライドさせると全開になり、正面部１と背面部を１８０度開くことができる。尚、スライダーは１つであっても構わない。
また、接続面には、システム手帳のリングに挿入できるリング係止部４が設けられている。リング係止部４の詳細は後述する。
【００２３】
［本ケースの開いた状態：図３］
次に、本ケースの開いた状態について図３を参照しながら説明する。図３は、本ケースを開いた状態を示す概略図である。
本ケースの線ファスナー部６のスライダーを接続面の両端まで開いて、正面部１と背面部２とを開けると、図３に示すように、１８０度開くことができる。接続部３の幅（まち）を持たせること、また接続部３の長さを短くし、接続面の線ファスナーを内側に長くすることにより、１８０度開くことが容易となる。
図３では、正面部１の線ファスナー部を６ａの符号で表し、背面部２の線ファスナー部を６ｂの符号で表している。
【００２４】
また、図３に示すように、背面部２の内側、周辺部１ａの内側、接続部３の内側には内布が取り付けられている。内布と外布（外部：本ケースでは皮又は合皮）で線ファスナー部６のテープを挟み込んで糸で縫い合わせている。
また、周辺部１ａの内布と外布（外部：本ケースでは皮又は合皮）で透明部材５を挟み込んで糸で縫い合わせている。
【００２５】
［背面部２の構成：図４］
次に、本ケースの背面部２の具体的な構成について図４を参照しながら説明する。図４は、背面部の構成を示す図である。
背面部２は、図４に示すように、背面部２の皮又は合皮の外部２ｂと内布２ａで、リング係止部４を挟み込み、張り合わせたものである。リング係止部４は、接続面とは反対側の側面に向けて延出した延出部４ｂを備えている。
具体的には、外部２ｂ、リング係止部４、線ファスナー部６ｂのテープ、内布２ａを重ねて、背面部２の周辺を縫い合わせたものである。
【００２６】
従って、リング係止部４は、内布２ａと縦横同程度の大きさとなっており、更に左端部に、システム手帳のリングが挿入される孔が複数設けられた突出部４ａが形成されている。
リング係止部４は、外部２ｂからはみ出さないように突出部４ａを除いて外部２ｂと同じ縦横の大きさを有する形状にしている。
このように、内布２ａの下敷きとなるようにリング係止部４を設けたことにより、背面部２の強度を高めることができる。よって、リング係止部４の素材は、プラスチック等が望ましい。
【００２７】
［リング係止部４の一部拡大図：図５］
リング係止部４の突出部４ａについて図５を参照しながら説明する。図５は、リング係止部における突出部の拡大説明図である。
リング係止部４の突出部４ａは、図５に示すように、縦方向にシステム手帳のリングに挿入される孔４１，４２が縦列方向に複数設けられている。
孔４１は、細長い楕円形の孔であり、孔４２は、円形の孔である。
【００２８】
このような孔４１，４２の形状としているのは、本ケースがポケットサイズのシステム手帳用のケースであり、ケースの縦横の大きさはポケットサイズのリフィルの縦横の大きさと同程度となっている。
ポケットサイズのシステム手帳用であれば、孔４１を楕円にする必要はなく、円形の孔で足りるが、本ケースをバイブルサイズ、Ａ５サイズのシステム手帳のリングにも挿入可能とするために、孔４１を縦列方向に長い形状の孔としている。
【００２９】
また、孔４１，４２と突出部４ａの端辺との間にはスリット４３が形成されている。
このスリット４３は、システム手帳のリングを開けることなく、本ケースを取り外したり、取り付けたりできるようにするために設けられている。しかしながら、リングを開けることなく頻繁に本ケースの着脱を行うと、リングから外れ易くなるので、リングを開けてからの装着が望ましい。
【００３０】
［別のリング係止部４′の一部拡大図：図６］
次に、別のリング係止部４′の突出部４ａ′について図６を参照しながら説明する。図６は、別のリング係止部における突出部の拡大説明図である。
別のリング係止部４′の突出部４ａ′は、図６に示すように、縦方向にシステム手帳のリングに挿入される円形の孔４２が縦列方向に複数設けられている。
【００３１】
別のリング係止部４′を備えたケース（別のケース）は、バイブルサイズ及びＡ５サイズのシステム手帳用のケースであり、バイブルサイズの及びＡ５サイズシステム手帳のリングが挿入されるよう孔４２が設けられている。
そして、別のケースにおける縦横の大きさは、バイブルサイズのリフィルの縦横の大きさと同程度となっている。
【００３２】
別のケースの孔４２は、バイブルサイズのシステム手帳では、６つのリングに挿入されるものであり、Ａ５サイズのシステム手帳では、特殊な方法で取り付けられる。
Ａ５サイズのシステム手帳のリングを上から１〜６番目のリングとし、別のケースの孔４２も上から１〜６番目の孔とした場合に、１〜３番目の孔に１〜３番目のリングを挿入し、５，６番目の孔に４，５番目のリングを挿入する。若しくは、１，２番目の孔に２，３番目のリングを挿入し、４〜６番目の孔に４〜６番目のリングを挿入する。
尚、別のリング係止部４′でも、孔４２と突出部４ａ′の端辺との間にスリット４３が形成されている。
【００３３】
［実施の形態の効果］
本ケース及び別のケースによれば、箱形形状で、接続部３が形成される接続面に幅（まち）を持たせ、その接続面の両方の端部まで線ファスナー部６が形成されているので、正面部１と背面部２とを１８０度開くことができ、携帯端末の出し入れが非常に容易に行うことができ、更に接続面にシステム手帳のリングに挿入する孔を複数備えたリング係止部４，４′を設けているので、システム手帳のリングに保持でき、携帯端末の紛失を防止できる効果がある。
【００３４】
また、本ケース及び別のケースによれば、リング係止部４，４′を背面部２の背面部外部２ｂと背面部内布２ａの間に挟み込んで固定するようにしているので、ケースの強度を高めることができる効果がある。
【産業上の利用可能性】
【００３５】
本考案は、様々の形状のスマートフォンを容易に収納して操作でき、または容易に取り出すことができ、更にシステム手帳に保持して紛失を防止できるシステム手帳用携帯端末ケースに適している。
【符号の説明】
【００３６】
１...正面部、  １ａ...周辺部、  ２...背面部、  ２ａ...背面部内布、  ２ｂ...背面部外部、  ３...接続部、  ４，４′...リング係止部、  ４ａ，４ａ′...突出部、  ５...透明部材、  ６，６ａ，６ｂ...線ファスナー部、  ４１，４２...孔、  ４３...スリット
【図１】
0003178403.tif 000003
【図２】
0003178403.tif 000004
【図３】
0003178403.tif 000005
【図４】
0003178403.tif 000006
【図５】
0003178403.tif 000007
【図６】
0003178403.tif 000008